(57)【要約】【課題】本発明は、ユーザ装置の機能モジュールステータス制御、ステータス配置方法及び装置を提供する。【解決手段】上記ステータス制御方法は、ユーザ装置が第１のアクセスネットワークエレメントからの制御情報を受信することと、ユーザ装置が、受信した制御情報により、ユーザ装置の、第２のアクセスネットワークに対応する機能モジュールのステータスを制御することを含む。本発明に関わる上記技術によると、関連技術におけるネットワーク側がユーザ装置のサポートする他のアクセスネットワークの動作を制御することができないことによるユーザエクスペリエンスに対する影響などの技術課題を解決でき、第１のアクセスネットワークがクロス無線アクセス技術でユーザ装置のサポートする他の無線アクセスネットワークを制御する効果を実現でき、ユーザエクスペリエンスを向上させている。【選択図】図３
2015525526.tif 000002
【特許請求の範囲】
【請求項１】
ユーザ装置ＵＥが第１のアクセスネットワークエレメントからの制御情報を受信することと、
前記ＵＥが、受信した前記制御情報により、前記ＵＥの、第２のアクセスネットワークに対応する機能モジュールのステータスを制御することと
を含むユーザ装置の機能モジュールステータスの制御方法。
【請求項２】
前記ＵＥは、前記第１のアクセスネットワークエレメントからの、前記制御情報を含むメディアアクセス制御層の要素、又は前記制御情報を含む無線リソース制御メッセージを受信することにより、前記制御情報を受信する請求項１に記載の方法。
【請求項３】
前記第１のアクセスネットワークエレメントは、対応するネットワーク側の分流ニーズ及び現在の無線環境により、前記制御情報がオンを指示するかそれともオフを指示するかを確定する請求項１に記載の方法。
【請求項４】
前記ＵＥが受信した前記制御情報に従い、前記ＵＥの、第２のアクセスネットワークに対応する機能モジュールのステータスを制御することは、
前記制御情報がオンまたはオフを指示するとき、前記ＵＥが前記機能モジュールをオン又はオフにすることを含む請求項１に記載の方法。
【請求項５】
前記ＵＥが受信した前記制御情報に従い、前記ＵＥの、第２のアクセスネットワークに対応する機能モジュールのステータスを制御することは、
前記制御情報がウェークまたはスリープを指示するとき、前記ＵＥが前記機能モジュールに対してウェーク操作またはスリープ操作を行うことを含み、ウェーク状態では、前記ＵＥがすでに確立された第２のアクセスネットワークとの接続にてチャネルをリスナーするとともに、第２のアクセスネットワークエレメントとデータを交換し、スリープ状態では、前記ＵＥが前記第２のアクセスネットワークとの接続を維持するが、前記第２のアクセスネットワークエレメントとのデータ交換とチャネルのリスナーを停止する請求項１に記載の方法。
【請求項６】
前記第１のアクセスネットワークエレメントは、前記第２のアクセスネットワークとＵＥとの間のキャリアリンクにて伝送すべき分流データがあると確定する場合、前記制御情報がウェークを指示することを確定し、前記第１のアクセスネットワークエレメントは、所定の期間内に、前記キャリアリンクにて、伝送すべき分流データがないと確定する場合、前記制御情報がスリープを指示することを確定する請求項１に記載の方法。
【請求項７】
前記制御情報には、トリガー情報をさらに含み、前記ＵＥが受信した前記制御情報に従い、前記ＵＥの、第２のアクセスネットワークに対応する機能モジュールのステータスを制御してから、
前記トリガー情報にトリガーされて、所定時間になると、前記ＵＥが前記機能モジュールを、現在のステータスから他のステータスに切り換えるように制御することを含む請求項１〜６のいずれか一項に記載の方法。
【請求項８】
第１のアクセスネットワークは第３世代パートナーシッププロジェクト３ＧＰＰアクセスネットワーク、またはグローバル移動通信ＧＳＭネットワーク、またはユニバーサル移動通信システムネットワークＵＭＴＳであり、前記第２のアクセスネットワークは無線ＬＡＮのＷＬＡＮである請求項１〜６のいずれか一項に記載の方法。
【請求項９】
前記制御情報は、ＵＥ標識情報、前記機能モジュールのステータス指示情報を含む請求項１〜６のいずれか一項に記載の方法。
【請求項１０】
第１のアクセスネットワークエレメントにより、ユーザ装置ＵＥの、第２のアクセスネットワークに対応する機能モジュールのステータスを指示し制御する制御情報を取得することと、
前記第１のアクセスネットワークエレメントにより、前記ＵＥに前記制御情報を送信することと、を含むユーザ装置の機能モジュールステータスの配置方法。
【請求項１１】
ユーザ装置ＵＥに位置するユーザ装置の機能モジュールステータスの制御装置であって、
第１のアクセスネットワークエレメントからの制御情報を受信する受信モジュールと、
受信した前記制御情報に従い、前記ＵＥの、第２のアクセスネットワークに対応する機能モジュールのステータスを制御する制御モジュールとを含むユーザ装置の機能モジュールステータスの制御装置。
【請求項１２】
前記受信モジュールは、さらに前記第１のアクセスネットワークエレメントからの、前記制御情報を含むメディアアクセス制御層の要素、または前記制御情報を含む無線リソース制御情報を受信する請求項１１に記載の装置。
【請求項１３】
前記制御モジュールは、さらに前記制御情報がオンまたはオフを指示するとき、前記機能モジュールをオンまたはオフにするように配置される請求項１１に記載の装置。
【請求項１４】
前記制御モジュールは、さらに前記制御情報がウェークまたはスリープを指示するとき、前記機能モジュールに対してウェークまたはスリープ操作を行うように配置され、ウェーク状態において、すでに確立された第２のアクセスネットワークとの接続にてチャネルをリスナーして、第２のアクセスネットワークエレメントとデータを交換し、スリープ状態において、前記第２のアクセスネットワークとの接続を維持するが、前記第２のアクセスネットワークエレメントとのデータ交換と、前記チャネルのリスナーを停止する請求項１１に記載の装置。
【請求項１５】
前記制御情報にはさらにトリガー情報を含む場合、前記トリガー情報にトリガーされ、所定の時間になる時、前期機能モジュールを現在のステータスから他のステータスに切り換えるように制御する切り替えモジュールをさらに含む請求項１１〜１４のいずれか一項に記載の装置。
【請求項１６】
第１のアクセスネットワークエレメントに位置するユーザ装置アクセスネットワークのステータス配置装置であって、
ユーザ装置ＵＥの、第２のアクセスネットワークに対応する機能モジュールのステータスを指示し制御する制御情報を取得する取得モジュールと、
前記制御情報を前期ＵＥに送信する送信モジュールとを含むユーザ装置アクセスネットワークのステータス配置装置。
【発明の詳細な説明】
【技術分野】
【０００１】
本発明は通信分野に関し、具体的には、ユーザ機器の機能モジュールのステータス制御、ステータス配置方法及び装置に関するものである。
【背景技術】
【０００２】
無線通信技術とプロトコル基準が絶え間なく進化することに伴い、移動パケットサービスは大いに発展してきて、一つの端末のデータスループット能力が絶えず上昇してきた。ロングタームエボリューション（Ｌｏｎｇ  Ｔｅｒｍ  Ｅｖｏｌｕｔｉｏｎ、ＬＴＥと略称）システムを例として、２０Ｍのブロードバンドにて、最大レート１００Ｍｂｐｓのデータ伝送をサポートすることができる。その後のＬＴＥアドバンスト（ＬＴＥ  Ａｄｖａｎｃｅｄ  ＬＴＥ−Ａと略称）システムにおいて、データの伝送レートがさらに上昇し、１Ｇｂｐｓに達することも可能になる。
【０００３】
端末データサービス量が膨張的に増殖し、既存のネットワークリソースが次第に無力になり、特に新しい世代の通信技術（例えば３Ｇ、ＬＴＥ）がまだ広範に配置されていない現在、ユーザのレートとラフィックに対するニーズに満足できず、ユーザエクスペリエンスが悪くなってしまう。このような状況を如何にして予防し変更するかはオペレーターたちの考えなければならない課題になる。新しい技術の推進やネットワーク配置を促進する一方、既存のネットワークと技術を強化することで、ネットワークの性能を迅速に向上させる目的を達成することが望まれている。周知されているように、第３世代パートナーシッププロジェクト（Ｔｈｅ  ３ｒｄ  Ｇｅｎｅｒａｔｉｏｎ  Ｐａｒｔｎｅｒｓｈｉｐ  Ｐｒｏｊｅｃｔ、３ＧＰＰと略称）の提供する無線ネットワーク技術の他に、現在一般的に応用されている無線ＬＡＮ（Ｗｉｒｅｌｅｓｓ  Ｌｏｃａｌ  Ａｒｅａ  Ｎｅｔｗｏｒｋ、ＷＬＡＮと略称）、特にＩＥＥＥ８０２．１１基準に基づいた無線ＬＡＮはすでに家庭や、企業、乃至インターネットにおいてホットスポットのアクセスカバレッジに広く応用されている。その中に、ＷｉＦｉアライアンス（ＷｉＦｉ  Ａｌｌｉａｎｃｅ）に提出される技術規範がもっとも広く応用されているため、実際には、無線フィディリティ（Ｗｉｒｅｌｅｓｓ  Ｆｉｄｅｌｉｔｙ、ＷｉＦｉと略称）ネットワークはよくＩＥＥＥ８０２．１１基準のＷＬＡＮネットワークと同等視とされている。混乱を招かない場合、後述においてもＷｉＦｉモジュールをもってネットワークノードにおいてＷＬＡＮをサポートする無線受送信と、処理モジュールを説明する。
【０００４】
上記状況の中で、ＷＬＡＮと既存の３ＧＰＰネットワークとを統合させ、共同伝送を実現する、すなわちＷＬＡＮネットワークによる既存の３ＧＰＰネットワークの負荷への分担（Ｏｆｆｌｏａｄ）と、ネットワークの性能向上が図られることを提案したオペレーターや会社が現れている。現在、３ＧＰＰにおいて、すでに３ＧＰＰネットワークとＷＬＡＮネットワークとのインターワーキング（Ｉｎｔｅｒｗｏｒｋｉｎｇ）に関するプロトコルが作成されている。図１に示すように、現在、３ＧＰＰのＩｎｔｅｒｗｏｒｋｉｎｇ  ＷＬＡＮアーキテクチャは、ＷＬＡＮネットワークが３ＧＰＰネットワーク内の認証認可アカウンティングサーバー（Ａｕｔｈｅｎｔｉｃａｔｉｏｎ  Ａｕｔｈｏｒｉｚａｔｉｏｎ  Ａｃｃｏｕｎｔｉｎｇ、ＡＡＡと略称）による総括した承認認定を許容するとともに、ＷＬＡＮネットワークのパケットデータゲートウェイとして既存の３ＧＰＰネットワークにおけるパケットデータネットワークゲートウェイを多重化して、２つのネットワークの総括した会計請求などを実現することでき、２つのネットワークの疎結合を達成できる。
【０００５】
しかし、現在のＩｎｔｅｒｗｏｒｋｉｎｇアーキテクチャには、以下のような欠陥が存在する。１）現在のＩｎｔｅｒｗｏｒｋｉｎｇは、ユーザ装置（Ｕｓｅｒ  Ｅｑｕｉｐｍｅｎｔ、ＵＥと略称）によりトリガーされ、ネットワーク側はターゲットネットワークに対して自発的な選択権がなく、ネットワークへのＵＥのアクセスには制御権が失われたことにより、オペレーターがユーザを所望の、または最適なターゲットネットワークにアクセスさせるようにガイドすることができないことになる。２）ＵＥはネットワーク側（例３ＧＰＰネットワークとＷＬＡＮネットワーク）がＩｎｔｅｒｗｏｒｋｉｎｇをサポートするか否かを承知していないので、ＵＥが現在のネットワークとＩｎｔｅｒｗｏｒｋｉｎｇをすることができないターゲットネットワークにアクセスすることにすることがある。３）端末ユーザ装置が３ＧＰＰネットワークとＷＬＡＮネットワークとの間に移動するときデータストリームの切り替えがわりと遅い。４）２つのネットワークのデータストリームのいずれも３ＧＰＰコアネットワークエレメントを必要とするため、負荷が大きくなる。また、現在のようなアーキテクチャは、オペレーターが独立した３ＧＰＰネットワークと独立で完全なＷＬＡＮネットワークを有することは前提であり、オペレーターが複数のネットワークを同時に運営し維持することが求められるので、運営コスト支出（Ｃａｐｉｔａｌ  Ｅｘｐｅｎｄｉｔｕｒｅ、ＣＡＰＥＸと略称）が大きいことも無視できないことである。
【０００６】
上記理由により、ＷＬＡＮと３ＧＰＰネットワークとが一層統合することが提案されている。様々なメーカーの提案の中で、インテル（Ｉｎｔｅｌ）はキャリアアグリゲーションに類似するネットワーク統合プログラムが提出され、その概ねのアーキテクチャは図２に示すとおりである。その中に、ＷＬＡＮは独立したネットワークではなく、既存３ＧＰＰネットワークにおけるアクセスネットワークと端末ユーザ装置との間の無線伝送に用いるデータ接続とするものになる。アクセスネットワークがＵＥに対する主要な管理と、可能なデータ伝送の一部は３ＧＰＰネットワークの接続に基づいて行われるものである。これは、３ＧＰＰネットワークの接続を主要キャリアとして、ＷｉＦｉアクセスネットワークとＵＥにおけるＷｉＦｉモジュールとの間に確立するＷＬＡＮ接続を補助キャリアとして、主要キャリアにおける伝送の分流を実現するキャリアアグリゲーションに類似する。
【０００７】
類似する統合アーキテクチャは様々あるが、このタイプのアーキテクチャにおいて、ＵＥが複数のネットワーク、特に３ＧＰＰネットワークとＷＬＡＮネットワークとの共同伝送を実現するために、多種類のモードにおける受送信を同時に起動させることが必要とされる。端末の３ＧＰＰモジュールとＷＬＡＮモジュールとは独立した受送信モジュールであるため、ネットワーク側は端末（即ちユーザ装置）の受送信モジュールの動作を効果的に制御することができない。即ち、ネットワーク側は、端末のサポートする他のアクセスネットワークの操作を制御することができなく、端末の不要な電気消費などのようなユーザのエクスペリエンスに影響することになる。
【０００８】
関連技術における上記課題について、いままで効果的なソリューションが提出されていない。
【発明の概要】
【発明が解決しようとする課題】
【０００９】
本発明は、少なくとも関連技術におけるネットワーク側がユーザ装置のサポートする他のアクセスネットワークの装置を制御することができないことによりユーザのエクスペリエンスに影響をもたらすような技術問題を解決するために、ユーザ装置の機能モジュールのステータス制御、ステータス配置方法及び装置を提供する。
【課題を解決するための手段】
【００１０】
本発明の一方面によると、ユーザ装置（ＵＥ）が第１のアクセスネットワークエレメントからの制御情報を受信することと、ＵＥが、受信した制御情報によりＵＥの、第２のアクセスネットワークに対応する機能モジュールのステータスを制御するユーザ装置の機能モジュールのステータス制御方法を提供する。
【００１１】
ＵＥは、第１のアクセスネットワークエレメントからの、制御情報を含むメディアアクセス制御層の要素、または制御情報を含む無線リソース制御メッセージを受信することで制御情報を受信することが好ましい。
【００１２】
第１のアクセスネットワークエレメントは、対応するネットワーク側の分流のニーズ及び現在の無線環境により、制御情報がオンを指示するか、それともオフを指示するかを確定することが好ましい。
【００１３】
ＵＥが、受信した制御情報により、ＵＥの、第２のアクセスネットワークに対応する機能モジュールのステータスを制御することは、制御情報によりオンまたはオフを指示するとき、ＵＥが機能モジュールをオンまたはオフにすることを含むことが好ましい。
【００１４】
ＵＥが、受信した制御情報により、ＵＥの、第２のアクセスネットワークに対応する機能モジュールのステータス状態を制御することは、制御情報によりウェークまたはスリープを指示するとき、ＵＥが機能モジュールに対してウェークまたはスリープ操作を行い、ウェーク状態では、ＵＥがすでに確立された第２のアクセスネットワークの接続においてチャネルをリスナーして、第２のアクセスネットワークエレメントとデータを交換し、スリープ状態では、ＵＥが第２のアクセスネットワークとの接続を維持するが、第２のアクセスネットワークエレメントとのデータ交換と、チャネルのリスナーを停止することが好ましい。
【００１５】
第１のアクセスネットワークエレメントは、第２のアクセスネットワークとＵＥとの間のキャリアリンク上に伝送すべき分流データがあると確定する場合、制御情報がウェークを指示することを確定し、第１のアクセスネットワークエレメントは、予定期間内に、キャリアリンク上に伝送すべき分流データがないと確定する場合、制御情報がスリープを指示することを確定することが好ましい。
【００１６】
制御情報には、トリガー情報を含み、ＵＥが受信した制御情報により、ＵＥの、第２のアクセスネットワークに対応する機能モジュールのステータスを制御してから、トリガー情報によりトリガーされて、予定の時間になるとき、ＵＥが機能モジュールを、現在のステータスから他のステータスに切り替えるように制御することを含むことが好ましい。
【００１７】
第１のアクセスネットワークは第３世代パートナーシッププロジェクト（３ＧＰＰ）アクセスネットワーク、またはグローバル移動通信（ＧＳＭ（登録商標））ネットワーク、またはユニバーサル移動通信システムネットワーク（ＵＭＴＳ）で、第２のアクセスネットワークは無線ＬＡＮ（ＷＬＡＮ）であることが好ましい。
【００１８】
制御情報は、ＵＥ標識情報、機能モジュールのステータス指示情報を含むことが好ましい。
【００１９】
本発明のもう一方面によると、第１のアクセスネットワークエレメントにより、ＵＥの、第２のアクセスネットワークに対応する機能モジュールのステータスを指示する制御情報を取得することと、第１のアクセスネットワークエレメントにより、ＵＥに制御情報を下すこととを含むユーザ装置の機能モジュールのステータスの配置方法を提供する。
【００２０】
本発明のもう一方面によると、ＵＥに位置するユーザ装置の機能モジュールステータスの制御装置で、第１のアクセスネットワークエレメントからの制御情報を受信する受信モジュールと、受信した制御情報により、ＵＥの、第２のアクセスネットワークに対応する機能モジュールのステータスを制御する制御モジュールとを含むユーザ装置の機能モジュールのステータスの制御装置を提供する。
【００２１】
上記受信モジュールは、第１のアクセスネットワークエレメントからの、制御情報を含むメディアアクセス制御層の要素、または制御情報を含む無線リソース制御メッセージを受信することが好ましい。
【００２２】
上記制御モジュールは、制御情報がオンまたはオフを指示するとき、機能モジュールをオンまたはオフにすることが好ましい。
【００２３】
上記制御モジュールは、制御情報がウェークまたはスリープを指示するとき、機能モジュールに対してウェークまたはスリープ操作を行い、ウェーク状態の場合、すでに確立された第２のアクセスネットワークとの接続においてチャネルをリスナーして、第２のアクセスネットワークエレメントとデータを交換し、スリープ状態の場合、第２のアクセスネットワークとの接続を維持するが、第２のアクセスネットワークエレメントとのデータ交換とチャネルのリスナーを停止することが好ましい。
【００２４】
上記装置は、制御情報にさらにトリガー情報を含む場合、トリガー情報にトリガーされて、所定の時間になるとき、機能モジュールを現在状態から他の状態に切り替える切り替えモジュールをさらに含むことが好ましい。
【００２５】
本発明のもう一方面によると、第１のアクセスネットワークエレメントに位置するユーザ装置アクセスネットワークのステータス配置装置で、ユーザ装置ＵＥの第２のアクセスネットワークに対応する機能モジュールのステータスを指示し制御する制御情報を取得する取得モジュールと、ＵＥに制御情報を送信する送信モジュールとを含むユーザ装置アクセスネットワークのステータス配置装置を提供する。
【００２６】
本発明によると、ユーザ装置は、受信した第１のアクセスネットワークの制御情報によりそのサポートする第２のアクセスネットワークの機能モジュールを制御する技術手段を採用することで、関連技術において、ネットワーク側がユーザ装置のサポートする他のアクセスネットワークの操作を制御できないことによりユーザのエクスペリエンスに影響をもたらすというような技術課題を解決して、第１のアクセスネットワークが、クロス無線アクセス技術や、ユーザ装置のサポートする他の無線アクセスネットワークを制御する効果を実現し、ユーザのエクスペリエンスを高めることができる。
【図面の簡単な説明】
【００２７】
ここで説明する図面は、本出願の一部分として、本発明をさらに理解してもらうためのもので、本発明の例示的な実施例及びその説明は本発明を解釈することに用いられ、本発明の不適切な限定にならない。
【図１】関連技術に係るネットワークの相互運用協定のアーキテクチャを示す図である。
【図２】関連技術に係るインテルネットワーク統合プログラムを示す図である。
【図３】本発明の実施例１に係るユーザ装置の機能モジュールのステータス制御方法のフローチャート図である。
【図４】本発明の実施例１に係るユーザ装置の機能モジュールのステータス制御装置の構造ブロック図である。
【図５】本発明の実施例１に係るユーザ装置の機能モジュールのステータス制御装置の構造を示す図である。
【図６】本発明の実施例２に係るユーザ装置の機能モジュールのステータス配置方法のフローチャート図である。
【図７】本発明の実施例２に係るユーザ装置の機能モジュールのステータス配置装置の構造ブロック図である。
【図８】本発明の実施例３に係るクロス無線アクセス技術の制御方法のフローチャート図である。
【図９】本発明の実施例４に係るクロス無線アクセス技術の制御方法のフローチャート図である。
【図１０】本発明の実施例５に係る無線アクセス技術の制御方法のフローチャート図である。
【発明を実施するための形態】
【００２８】
以下、図面を参照しながら、実施例を結合して本発明を説明する。なお、衝突しない場合、本出願の実施例及び実施例における特徴は互いに組み合わせることができる。
【００２９】
実施例１
図３は本発明の実施例に係るユーザ装置の機能モジュールのステータス制御方法のフローチャート図である。図３に示すように、当該方法は、
ステップＳ３０２について、ＵＥが第１のアクセスネットワークエレメントからの制御情報を受信することと、
ステップＳ３０４について、ＵＥが受信した制御情報により、ＵＥの、第２のアクセスネットワークに対応する機能モジュールのステータスを制御することとを含む。
【００３０】
上記ステップにより、ＵＥが第１のアクセスネットワークの送信する制御情報によりＵＥの、第２のアクセスネットワークに対応する機能モジュールのステータスを制御することができるため、第１のアクセスネットワークのクロス無線アクセス技術によりユーザ装置のサポートする他の無線アクセスネットワークを制御する効果を実現でき、ユーザのエクスペリエンスを向上することができる。
ステップＳ３０４において、ＵＥが、前記制御情報によってＵＥ内の機能モジュールを制御することができることにより、この機能モジュールが対応する第２のアクセスネットワークに対する制御を実現し、ユーザのエクスペリエンスを向上することができ、例えば、上記機能モジュールのステータス（オン／オフ、スリープ／ウェーク）を制御し、不要な電気消費を減少することができる。
【００３１】
ＵＥが上記制御情報を受信する方式は、例えば、第１のアクセスネットワークエレメントからのメディアアクセス制御層要素または無線リソース制御メッセージにより実現できるというように様々である。メディアアクセス制御層要素と無線リソース制御メッセージが制御情報を含む。
【００３２】
上記第１のアクセスネットワークエレメントは、対応するネットワーク側の分流のニーズ、及び現在の無線環境により、上記制御情報がオンを指示するかそれともオフを指示するかを確定する。例えば、第２のアクセスネットワークとＵＥとの間のキャリアリンクにて伝送すべき分流データがない、または現在の無線環境が悪い（例えば環境の干渉がひどい、または信号の品質が悪いなど）場合、上記制御情報がオフを指示することを確定する。こうすると、ユーザ装置の電気消費を効果的に節約することができる。上記キャリアリンクにて伝送すべき分流データがあり、かつ現在の無線環境が要求に満足する場合、上記制御情報がオンを指示することを確定する。
【００３３】
上記制御情報は、オンまたはオフ、ウェークまたはスリープを指示するなど様々な形式があるが、制御情報がオンまたはオフを指示する場合、ＵＥが受信した制御情報により機能モジュールを制御して、表現形式としてＵＥが上記機能モジュールをオンまたはオフにすることになる（ステップＳ１０４）。
【００３４】
上述したように、上記制御情報は、ウェークまたはスリープを指示することができる。このとき、ＵＥが受信した制御情報により機能モジュールのステータスを制御することは、上記機能モジュールに対してウェークまたはスリープ操作を行い、ウェーク状態では、ＵＥがすでに確立された第２のアクセスネットワークとの接続においてチャネルをリスナーして、第２のアクセスネットワークエレメントとデータを交換する。スリープ状態では、ＵＥが第２のアクセスネットワークとの接続を維持するが、第２のアクセスネットワークエレメントとのデータ交換とチャネルのリスナーを停止する。
【００３５】
本発明の好適な実施形態において、第１のアクセスネットワークエレメントが、第２のアクセスネットワークのキャリアにて伝送すべき分流データがあると確定する場合、制御情報がウェークを指示することを確定し、第１のアクセスネットワークエレメントが、所定の期間内に上記キャリアリンクにて伝送すべき分流データがないと確定する場合、制御情報がスリープを指示することを確定する。こうすると、ユーザ装置の電気消費を効果的に節約することができる。
【００３６】
上記制御情報には、トリガー情報を含んでもよく、このような場合、ＵＥが受信した制御情報により、ＵＥの、第２のアクセスネットワークに対応する機能モジュールのステータスを制御してから、上記トリガー情報にトリガーされて、所定の時間になるとき、ＵＥが前記機能モジュールを、現在のステータスから他のステータスに切り替える（例えばオンからオフに、スリープからウェークに切り替える）ように制御する。上記トリガー情報が実際に使用されるとき、ある初期値とすることができ、ＵＥが当該初期値によりタイミングして、タイマーが所定の時間になるとき、上記切り替えをする。
【００３７】
上記第１のアクセスネットワークには、ＧＳＭ（登録商標）ネットワーク、ＵＭＴＳ、３ＧＰＰアクセスネットワークを、第２のアクセスネットワークには、ＷＬＡＮアクセスネットワークを含むが、これらに限らない。
【００３８】
上記制御情報は、もっぱら機能モジュールのステータスを制御するための制御情報や、他の制御シグナリングに含まれる制御情報などのような様々な実現方式がある。上記制御情報は、ＵＥ標識情報、上記機能モジュールのステータス指示情報を含むが、これらに限定されない。上記ステータス指示情報は、１でウェーク、０でスリープを表すというように、１ｂｉｔで上記ステータスを表すことができる。言うまでもなく、これに限らず、他の実現方式を採用してもよい。
【００３９】
本実施例において、さらにＵＥに位置し、上記実施例及び好適な実施形態を実現するためのユーザ装置機能モジュールのステータス制御装置を提供する。すでに説明したものはここでは繰り返して説明しない。以下、当該装置に係るモジュールについて説明する。以下で用いられる技術用語「モジュール」は、所定の機能を実現できるソフトウェア及び／またはハードウェアの組み合わせである。以下の実施例で記載された装置はソフトにより実現されることが好ましいが、ハードウェア、またはソフトウェアとハードウェアとの組み合わせにより実現されるこもの構想されることが可能である。図４は、本発明の実施例１に係るユーザ装置の機能モジュールのステータス制御装置の構造ブロック図である。図４に示すように、当該装置は、
制御モジュール４２に接続し、第１のアクセスネットワークエレメントからの制御情報を受信する受信モジュール４０と、
受信した制御情報によりＵＥの、第２のアクセスネットワークに対応する機能モジュールのステータスを制御する制御モジュール４２とを含む。
【００４０】
上記方法実施例と類似するように、上記受信モジュールと制御モジュールにより実現された機能は、ＵＥが第１のアクセスネットワークの送信した制御情報に従いＵＥの、第２のアクセスネットワークに対応する機能モジュールのステータスを制御することがでできるようにしているため、第１のアクセスネットワークのクロス無線アクセス技術がユーザ装置の指示する他の無線アクセスネットワークを制御する効果を実現でき、ユーザのエクスペリエンスを向上することができる。
【００４１】
本発明の一好適な実施形態において、上記受信モジュール４０は、さらに第１のアクセスネットワークエレメントからの、制御情報を含むメディアアクセス制御層の要素、または制御情報を含む無線リソースの制御メッセージを受信する。
【００４２】
上記制御モジュール４２は、上記制御情報がウェークまたはスリープを指示するとき、上記機能モジュールに対してウェーク操作またはスリープ操作をして、ウェーク状態では、すでに確立された第２のアクセスネットワークとの接続にてチャネルをリスナーするとともに、第２のアクセスネットワークエレメントとデータを交換する。スリープ状態では、前記第２のアクセスネットワークとの接続を維持するが、第２のアクセスネットワークエレメントとのデータ交換とチャネルのリスナーを停止する。
【００４３】
図５に示すように、上記装置は、制御モジュール４２に接続し、制御情報にさらにトリガー情報を含む場合、トリガー情報にトリガーされて、所定の時間になるとき、前記機能モジュールを、現在のステータスから他のステータスに切り替えるように制御する切り替えモジュール４４を更に含んでもよいが、これに限らない。
【００４４】
実施例２
本実施例は実施例１に対応して、ネットワーク側から説明する。図６は本発明の実施例２に係わるユーザ装置の機能モジュールのステータス配置方法のフローチャート図である。図６に示すように、当該方法は、
ステップＳ６０２について、第１のアクセスネットワークエレメントが、ＵＥの、第２のアクセスネットワークに対応する機能モジュールのステータスを指示し制御する制御情報を取得することと、
ステップＳ６０４について、第１のアクセスネットワークエレメントがＵＥに制御情報を送信することとを含む。
【００４５】
上記処理ステップによると、第１のアクセスネットワークエレメントが取得した上記制御情報をＵＥに送信したことにより、ＵＥが上記制御情報に従いＵＥのサポートする第２のアクセスネットワークに対して、ＵＥの、第２のアクセスネットワークに対応する機能モジュールのステータスを制御することができるようになり、第１のアクセスネットワークのクロス無線アクセス技術によりユーザ装置のサポートする他の無線アクセスネットワークを制御する効果を実現し、ユーザエクスペリエンスを向上することできる。
【００４６】
ステップＳ６０２において、第１のアクセスネットワークエレメントは、自身から生成する、又は、ローカルで予め設定する、もしくは他の装置（例えば第三者の装置）から取得するというように様々な方式により上記制御情報を取得することができる。
【００４７】
本実施例によると、第１のアクセスネットワークエレメントに位置するユーザ装置の機能モジュールのステータス配置装置をさらに提供する。図７に示すように、当該装置は、
送信モジュール７２に接続し、ＵＥの、第２のアクセスネットワークに対応する機能モジュールのステイタスを指示し制御する制御情報を取得する取得モジュール７０と、
ＵＥに制御情報を送信する送信モジュール７２とを含む。
【００４８】
上記実施例１と実施例２をよりよく理解するために、以下実施例３〜実施例５及び図面を結合して詳しく説明する。以下実施例を詳しく説明する前に、以下の実施例の構想を簡単に説明する。
【００４９】
以下の実施例は、無線ＬＡＮ通信の移動通信システムにおけるクロス無線アクセス技術によりユーザ装置の受送信モジュールのスステータスを制御する方法に係わり、ネットワーク側によるＵＥへのより柔軟的なスケジューリングを実現し、ＵＥの電気消費を節約するとともに、ＷＬＡＮプロトコルに対する互換性を確保することが図られる。上記目的を達成するために、下記重要な処理プロセスを含む。
【００５０】
即ち、ＵＥが３ＧＰＰアクセスネットワークエレメントから送信した、ＷｉＦｉモジュールに対する制御情報を含むコントロールプレーンのシグナリングを受信することと、
ＵＥが受信したＷｉＦｉモジュールの制御情報に応じて、ＷｉＦｉモジュールに対して操作を行うことである。
【００５１】
下記実施例において、３ＧＰＰアクセスネットワークエレメントは、３ＧＰＰの様々な無線アクセス技術（Ｒａｄｉｏ  Ａｃｃｅｓｓ  Ｔｅｃｈｎｏｌｏｇｙ、ＲＡＴと略称）のアクセスネットワークエレメントのノードである。例えば、ＬＴＥネットワークにおけるエボリューション基地局（Ｅｖｏｌｖｅｄ  ＮｏｄｅＢ、ｅＮＢと略称）、ＵＭＴＳネットワークにおける無線ネットワークコントローラ（Ｒａｄｉｏ  Ｎｅｔｗｏｒｋ  Ｃｏｎｔｒｏｌｌｅｒ、ＲＮＣと略称）と基地局（Ｎｏｄｅ  Ｂ）（無線ネットワークサブシステムＲＮＳと総称）、ＧＳＭ（登録商標）ネットワークにける基地局コントローラ（Ｂａｓｅ  Ｓｔａｔｉｏｎ  Ｃｏｎｔｒｏｌｌｅｒ、ＢＳＣと略称）と基地局（Ｂａｓｅ  Ｔｒａｎｓｃｅｉｖｅｒ  Ｓｔａｔｉｏｎ、ＢＴＳと略称）（基地局システムＢＳＳと総称）である。
【００５２】
以下の実施例において、ＵＥは、ＷＬＡＮと少なくとも１種類の３ＧＰＰ  ＲＡＴをサポートするマルチモード端末である。
【００５３】
コントロールプレーンのシグナリングは、メディアアクセス制御層の要素（Ｍｅｄｉｕｍ  Ａｃｃｅｓｓ  Ｃｏｎｔｒｏｌ、ｃｏｎｔｒｏｌ  ｅｌｅｍｅｎｔ、ＭＡＣ  ＣＥと略称）又は無線リソース制御（Ｒａｄｉｏ  Ｒｅｓｏｕｒｓｅ  ｃｏｎｔｒｏｌ、ＲＲＣと略称）メッセージにより前記ＵＥに送信することができる。
【００５４】
下記実施例において、前記ＷｉＦｉモジュールの制御情報は、前記端末のＷｉＦｉモジュールのステータスに対する制御を実現でき、その中に、前記ＷｉＦｉモジュールのステータスは、
ＵＥのＷｉＦｉモジュールが、ＷＬＡＮチャネルの走査や、ＷＬＡＮアクセスネットワークとの関連の確立などの動作を開始するオン状態と、
ＵＥのＷｉＦｉモジュールが動作を停止し、ＷＬＡＮアクセスネットワークとの関連を切断するオフ状態とを含むオン／オフと、
ＵＥが確立されたＷＬＡＮキャリアでチャネルをリスナーして、データを受送信するウェーク状態と、
ＵＥがＷＬＡＮアクセスポイント（Ａｃｃｅｓｓ  Ｐｏｉｎｔ、ＡＰと略称）との接続を維持するが、データの受送信を行わない（選択肢としてＷＬＡＮチャネルのリスナーもしないことも可能である）スリープ状態とを含むウェーク／スリープとがある。ウェーク／スリープ状態はＷｉＦｉモジュールがオンになる状態だけに適用する。
【００５５】
ＵＥのＷｉＦｉモジュールのオン／ウェーク状態は、３ＧＰＰアクセスネットワークエレメントによりコントロールプレーンのシグナリングを介して指示される。ＵＥのＷｉＦｉモジュールのオフ／スリープ状態は、３ＧＰＰアクセスネットワークエレメントによりコントロールプレーンのシグナリングを介して指示されてもよいし、ステータスタイマーを設定し、当該タイマーがタイムオーバーするとき、ＵＥのＷｉＦｉモジュールがあるステータスに入る／あるステータスから離れるようにしてもよい。
【００５６】
以下の実施例において、３ＧＰＰアクセスネットワークエレメントはネットワーク側のニーズに応じて、ＵＥにＷｉＦｉモジュールを起動し、ＷＬＡＮアクセスネットワークと関連を確立するように指示して、ＷＬＡＮ接続にて伝送すべき分流データがあると確定するとき、３ＧＰＰアクセスネットワークエレメントが、ＵＥのＷｉＦｉモジュールがウェーク状態に入るように指示するが、ＷＬＡＮ接続にて目下伝送すべき分流データがない場合、３ＧＰＰアクセスネットワークエレメントが、ＵＥのＷｉＦｉモジュールがスリープ状態に入る（当該ＷＬＡＮキャリをリリースすることではない）ように指示する。ネットワーク側は、分流のニーズがないと確定するとき、３ＧＰＰアクセスネットワークエレメントが、ＵＥにＷｉＦｉモジュールをオフにすることを指示する。このように、本発明の技術によると、３ＧＰＰネットワークが、ユーザ装置のＷＬＡＮ受送信モジュールの動作に対するクロスＲＡＴの制御を実現し、ダブルモード／マルチモード端末の電気消費を節約し、ユーザのエクスペリエンスを向上することができる。
【００５７】
実施例３
図８に示すように、３ＧＰＰアクセスネットワークエレメントとは、ＬＴＥ  ｅＮＢを指し、ＵＥとは、少なくともＬＴＥとＷＬＡＮのダブルモード／マルチモード携帯電話をサポートするもので、コントロールプレーンのシグナリングはＭＡＣ  ＣＥを選択することができる。
【００５８】
ステップＳ８０２について、ＵＥがＬＴＥセルにアクセスし、ｅＮＢとの間に無線接続を確定する。
【００５９】
３ＧＰＰアクセスネットワークの指示により、ＵＥがＷｉＦｉモジュールを起動し、ｅＮＢとの間の可能な情報互換が走査されてから、ＵＥがＷｉＦｉアクセスネットワーク（当該ＷｉＦｉアクセスネットワークは、オペレーターにより配置され、前記３ＧＰＰアクセスネットワークとのデータ共同伝送が可能）と関連を確立する。ＷＬＡＮ関連が確立されてから、ｅＮＢがＵＥに、当該ＷＬＡＮ接続を、分流データを伝送するための補助キャリアとして加えることを指示する。
【００６０】
ステップＳ８０４について、ｅＮＢがＷＬＡＮキャリアにて伝送すべき分流データがあると確定する場合、ｅＮＢが、ＭＡＣ  ＣＥのようなＬＴＥコントロールプレーンシグナリングを介して、ＵＥに、ＷＬＡＮキャリアにてチャネルのリスナーや、データの伝送、及び必要とする可能性があるチャネル品質の測定報告を行うように指示する。即ち、ＵＥのＷｉＦｉモジュールを「ウェーク」状態に入るように指示する。
【００６１】
当該制御情報を受信してから、ＵＥとネットワーク側との間は、ＷＬＡＮキャリアにてデータを伝送したり、ＬＴＥキャリアにて制御シグナリング及び可能なユーザデータを伝送したりすることができる。
【００６２】
ＭＡＣ  ＣＥの制御スケジューリングは動的で且つ迅速である。さらに、この制御情報は、例えば「１」で「ウェーク」を指示する（それに応じて、「０」で「スリープ」を指示する）というように、１ｂｉｔで簡単に指示することができる。
【００６３】
ステップＳ８０６について、ｅＮＢが目下ＷＬＡＮキャリアに分流するデータがないとき、ｅＮＢがＭＡＣ  ＣＥにより、ＵＥのＷｉＦｉモジュールを「スリープ」状態に入るように指示する。
ＵＥがこの制御情報を受けたから、ＷｉＦｉアクセスネットワーク間のＷＬＡＮ関連をそのまま保持して（即ちある時間段にチャネルで情報を送付しないで連続をカットすることがない）、チャネルのリスナーや、データの伝送、及び必要とする可能性があるチャネル品質の測定報告などの流れを行なわず、スリープ状態にあるＷｉＦｉモジュールが必要とする電気量はとても小さい。ＵＥとネットワーク側との間にある全ての制御シグナリングとユーザデータとが３ＧＰＰキャリアに伝送する。
【００６４】
ＷｉＦｉモジュールがスリープ状態にあるＵＥに対して、ネットワーク側にＷＬＡＮキャリアに分流すべきデータができる場合、ｅＮＢがまずＵＥのＷｉＦｉモジュールをウェークして（ステップＳ３０２に記載されたように、この時ｅＮＢがデータをキャッシュすることができる）、ＵＥが準備完了してから、データをＷＬＡＮチャネルを介してＵＥに送信する。
【００６５】
ステップＳ８０８について、ネットワーク側は、所定期間内に、分流するニーズがない（例、夜のオフィスビル）と確定する場合、ｅＮＢがコントロールプレーンシグナリングにより、ＵＥに対してＷＬＡＮアクセスネットワークとの関連をリリースして、ＷｉＦｉモジュールをオフにするすることを指示し、ＵＥが３ＧＰＰネットワークとの接続のみを維持する。
【００６６】
実施例４
図９に示すように、ＵＥは、少なくとも３ＧＰＰとＷＬＡＮとのダブルモード／マルチモードをサポートし、コントロールプレーンシグナリングはＲＲＣメッセージを選択することができる。
【００６７】
ステップＳ９０２について、ＵＥがＬＴＥセルにアクセスして、３ＧＰＰアクセスネットワークとの間で無線接続を確立する。
【００６８】
ネットワーク側のニーズに応じて、３ＧＰＰアクセスネットワークは、ＲＲＣ要求シグナリングを介して、ＵＥにＷｉＦｉモジュールをオンにすることを指示し、ＵＥが走査及び３ＧＰＰネットワークとの間の可能な情報互換を経てから、適切なＷｉＦｉアクセスネットワークと関連を確立する。
【００６９】
ＷＬＡＮ関連が確立されてから、ＵＥが対応するＲＲＣ確認シグナリングにより、３ＧＰＰネットワークに当該情報を通知する。
【００７０】
ステップＳ９０４について、３ＧＰＰアクセスネットワークエレメントは、ＷＬＡＮキャリアにて伝送すべき分流データがあると確定する場合、アクセスネットワークエレメントが、ＲＲＣメッセージなどのようなコントロールプレーンシグナリングにより、ＵＥのＷｉＦｉモジュールが「ウェーク」状態に入るように指示する。
【００７１】
当該ＲＲＣメッセージは、ＲＲＣ接続再配置（ＲＲＣ  ＣｏｎｎｅｃｔｉｏｎＲｅｃｏｎｆｉｇｕｒａｔｉｏｎ）メッセージ、又は他の新規エアインターフェースメッセージ（新規メッセージは単一方向であり、即ちＵＥからの応答を要しない）などのような既存のＲＲＣシグナリングである。
【００７２】
３ＧＰＰアクセスネットワークエレメントがＵＥから返事した、ＲＲＣ接続再配置完了（ＲＲＣ  Ｃｏｎｎｅｃｔｉｏｎ  Ｒｅｃｏｎｆｉｇｕｒａｔｉｏｎ  Ｃｏｍｐｌｅｔｅ）メッセージのような、ＷｉＦｉモジュールのウェークが完了された旨のＲＲＣメッセージを受信してから、ＵＥとネットワーク側との間は、ＷＬＡＮキャリアにてデータを伝送したり、３ＧＰＰキャリアにて制御シグナリングや可能なユーザデータを伝送したりすることができる。
【００７３】
ステップＳ９０６について、ネットワーク側には、目下ＷＬＡＮキャリアに分流すべきデータがないとき、３ＧＰＰアクセスネットワークエレメントは、ＲＲＣメッセージにより、ＵＥのＷｉＦｉモジュールが「スリープ」状態に入ることを指示することができる。こうすると、ＵＥとＷｉＦｉアクセスネットワークとの間のＷＬＡＮ関連は維持され、ＵＥとネットワーク側との間の全ての制御シグナリング及びユーザデータは３ＧＰＰキャリアにて伝送されることになる。
【００７４】
ＷｉＦｉモジュールがスリープ状態にあるＵＥに対して、ネットワーク側にＷＬＡＮキャリアに分流し伝送すべきデータができる場合、３ＧＰＰアクセスネットワークエレメントがまずＵＥのＷｉＦｉモジュールをウェークして（前記ステップＳ４０２を参照）、このとき、３ＧＰＰアクセスネットワークエレメントは、まずすでに受信したデータを３ＧＰＰキャリアにてＵＥに送信し、ＵＥがウェーク完了のメッセージを返信してから、データをＷＬＡＮチャネルを介してＵＥに送信する。
【００７５】
ステップＳ９０８について、ネットワーク側は、所定の期間内に分流するニーズがないと確定する場合、３ＧＰＰアクセスネットワークはＲＲＣ要求シグナリングを介して、ＵＥに対し、ＷＬＡＮアクセスネットワークとの関連をリリースし、ＷｉＦｉモジュールをオフにすることを指示して、ＵＥが当該メッセージを受信してから、ＷＬＡＮとの間の関連をリリースして、３ＧＰＰネットワークに通知するための確認メッセージを返信する。
【００７６】
その後、ＵＥが３ＧＰＰネットワークとの接続のみを維持し、即ち、すべてのデータとシグナリングは３ＧＰＰチャネルにて伝送する。
【００７７】
実施例５
図１０に示すように、ＵＥは少なくとも３ＧＰＰとＷＬＡＮのダブルモード／マルチモードをサポートする携帯電話であり、ＵＥのＷｉＦｉモジュールは、主に３ＧＰＰネットワーク配置のリリース状態タイマーにより制御されてスリープ状態に入ることになる。
【００７８】
ステップＳ１００２について、ＵＥがＬＴＥセルにアクセスして、３ＧＰＰアクセスネットワークとの間で無線接続を確立する。
【００７９】
３ＧＰＰネットワークのシグナリングの指示に基づき、ＵＥとＷＬＡＮアクセスネットワークとの間で関連が確立される。
【００８０】
ステップＳ１００４について、ＵＥとネットワークとの間では、３ＧＰＰキャリアを介して制御シグナリングと可能なユーザデータが伝送され、ＷＬＡＮキャリアを介してユーザデータを伝送し分流する場合、３ＧＰＰアクセスネットワークは同時にＵＥにスリープ状態タイマーを配置し、当該タイマーがタイムオーバーになると、ＵＥのＷｉＦｉモジュールがスリープ状態に入る。タイマーの初期値は３ＧＰＰアクセスネットワークエレメントによりＲＲＣメッセージを介してＵＥに指示することができる。
【００８１】
当該ＲＲＣメッセージは、ＲＲＣ  Ｃｏｎｎｅｃｔｉｏｎ  Ｒｅｃｏｎｆｉｇｕｒａｔｉｏｎメッセージや、他の新規エアインターフェースメッセージ（当該新規メッセージは単一方向である、即ちＵＥの返信を要しない）などのような既存のＲＲＣシグナリングである。
【００８２】
さらに、スリープ状態タイマーは、コントロールプレーンシグナリングにより指示を表示する技術と組み合わせて使用することができる。即ち、ＲＲＣ  Ｃｏｎｎｅｃｔｉｏｎ  ＲｅｃｏｎｆｉｇｕｒａｔｉｏｎメッセージによりＵＥのＷｉＦｉモジュールがウェーク状態に入ることを指示し、当該メッセージには同時にスリープ状態タイマーの初期値が含まれる。ＵＥは、ＲＲＣ  Ｃｏｎｎｅｃｔｉｏｎ  Ｒｅｃｏｎｆｉｇｕｒａｔｉｏｎ  Ｃｏｍｐｌｅｔｅメッセージに応答してから、ＷＬＡＮキャリアにてデータを受信し、それと同時にタイマーがタイミングし始める。データを受信したたびに、タイマーがリセットして、タイムオーバーになるとき、ＵＥのＷｉＦｉモジュールがスリープ状態に入る。
【００８３】
ステップＳ１００６について、ＷｉＦｉモジュールがスリープ状態にあるＵＥに対して、ネットワーク側にＷＬＡＮキャリアに分流し伝送すべきデータができるとき、３ＧＰＰアクセスネットワークエレメントがまずＵＥのＷｉＦｉモジュールをウェークしてから、データをＷＬＡＮキャリアを介してＵＥに送信する。
【００８４】
前述したように、スリープ状態タイマーの技術とＭＡＣ  ＣＥシグナリングとが組み合わせて利用することは、ネットワーク側はＭＡＣ  ＣＥによりＷｉＦｉモジュールをウェークして、ＲＲＣシグナリングによりＵＥにスリープ状態タイマーの初期値を配置することである。
【００８５】
ＵＥは、スリープ状態タイマーがタイムオーバーになる前に、ＷｉＦｉモジュールをスリープ状態に入ることを指示することを表示する制御シグナリング（ＭＡＣ  ＣＥまたはＲＲＣメッセージ）を受信した場合、そのＷｉＦｉモジュールをスリープ状態に入るように設定する。
【００８６】
ステップＳ１００８について、ネットワーク側は、所定の期間内に分流するニーズがないことを確定する場合、３ＧＰＰアクセスネットワークの制御シグナリングは、ＵＥにＷＬＡＮアクセスネットワークとの関連をリリースして、ＷｉＦｉモジュールをオフにするように指示する。その後、ＵＥは３ＧＰＰネットワークとの接続のみを維持する、即ち全てのデータとシグナリングは３ＧＰＰチャネルにて伝送されることになる。
【００８７】
当該状態タイマーは、「ウェーク状態タイマー」または他のステータスを焦点とするタイマー制御機能モジュールとして配置されてもよい。具体的には、上記記載を参照すること。ここでは繰り返して説明しない。
【００８８】
もう一つの実施例において、さらに上記実施例及び好適な実施形態に記載された技術を実行するソフトウェアを提供する。
【００８９】
もう一つの実施例において、さらに、上記ソフトウェアを記憶する記憶媒体を提供する。当該記憶媒体は、ディスク、フロッピーディスク、ハードディスクドライブ、消去可能なメモリを含むが、これらに限らない。
【００９０】
言うまでもなく、上述した本発明の各モジュールまたはステップは、汎用のコンピュータ装置により実現することができ、単一のコンピュータ装置に集成してもよいし、複数のコンピュータ装置からなるネットワークに配置してもよい。また、コンピュータ装置が実行可能なプログラムコードにより実現されてもよい。これにより、記憶装置に記憶されてコンピュータ装置により実行されることができる。また、場合によって、ここの順番と異なる順番で示されたまたは説明されたステップを実行する、或いは、それぞれ各々の集積回路モジュールに作成したり、それらの中の複数のモジュールまたはステップを単一の集積回路モジュールに作成したりして実現することができる。このように、本発明は、いずれの特定のハードウェアとソフトウェアの組み合わせにも限定されない。
【００９１】
以上は、本発明の好適な実施例に過ぎず、本発明を限定するものではない。当業者であれば、本発明の様々な変更や変形が可能である。本発明の精神や原則を逸脱しないいずれの変更、置換、改良なども本発明の保護範囲内に含まれる。
【図１】
2015525526.tif 000003
【図２】
2015525526.tif 000004
【図３】
2015525526.tif 000005
【図４】
2015525526.tif 000006
【図５】
2015525526.tif 000007
【図６】
2015525526.tif 000008
【図７】
2015525526.tif 000009
【図８】
2015525526.tif 000010
【図９】
2015525526.tif 000011
【図１０】
2015525526.tif 000012
【国際調査報告】
2015525526.tif 000013
2015525526.tif 000014
2015525526.tif 000015
2015525526.tif 000016